(57)【特許請求の範囲】
【請求項１】
着色剤及び水を含むインクジェット記録用水性インクであって、
さらに、下記Ａ及びＢを含み、
前記ＡとＢとの重量比が、Ａ：Ｂ＝１：５〜１：２０であることを特徴とするインクジェット記録用水性インク。
Ａ：式（１）で表される化合物
Ｂ：界面活性剤
【化１】
0006358561.tif 000007
式（１）において、
Ｒは、主鎖の炭素原子数が６以上のアルキルエーテル基又はアルキルエステル基であり、前記アルキルエーテル基及び前記アルキルエステル基のアルキル基は、直鎖状であってもよいし、分岐鎖状であってもよい。    
【請求項２】
前記Ａが、式（１ａ）で表される化合物及び式（１ｂ）で表される化合物の少なくとも一方を含む請求項１記載のインクジェット記録用水性インク。
【化２】
0006358561.tif 000008
【化３】
0006358561.tif 000009
【請求項３】
前記水性インク全量に対する前記Ａの配合量が、０．５重量％以下である請求項１又は２記載のインクジェット記録用水性インク。
【請求項４】
前記Ｂが、アニオン系界面活性剤を含む請求項１〜３のいずれか一項に記載のインクジェット記録用水性インク。
【請求項５】
インクジェット記録用水性インクを含むインクカートリッジであって、前記水性インクが、請求項１〜４のいずれか一項に記載のインクジェット記録用水性インクであることを特徴とするインクカートリッジ。
【発明の詳細な説明】
【技術分野】
【０００１】
本発明は、インクジェット記録用水性インク及びインクカートリッジに関する。
【背景技術】
【０００２】
水性インクによる記録物の光学濃度（ＯＤ値）を向上させる手法として、着色剤濃度を高くする手法が知られている（例えば、特許文献１参照）。
【先行技術文献】
【特許文献】
【０００３】
【特許文献１】特開２００４―２３１７１１号公報
【発明の概要】
【発明が解決しようとする課題】
【０００４】
しかしながら、着色剤濃度を高くすると、コストの増加及び水性インクの安定性低下の問題がある。
【０００５】
そこで、本発明は、着色剤濃度を高めずとも、水性インクによる記録物の光学濃度（ＯＤ値）を向上させることが可能なインクジェット記録用水性インクを提供することを目的とする。
【課題を解決するための手段】
【０００６】
前記目的を達成するために、本発明のインクジェット記録用水性インクは、
着色剤及び水を含むインクジェット記録用水性インクであって、
さらに、下記Ａ及びＢを含むことを特徴とする。
Ａ：式（１）で表される化合物
Ｂ：界面活性剤
【化１】
0006358561.tif 000002
式（１）において、
Ｒは、主鎖の炭素原子数が６以上のアルキルエーテル基又はアルキルエステル基であり、
前記アルキルエーテル基及び前記アルキルエステル基のアルキル基は、直鎖状であってもよいし、分岐鎖状であってもよい。
【発明の効果】
【０００７】
本発明のインクジェット記録用水性インクは、前記Ａを配合することで、着色剤濃度を高めずとも、水性インクによる記録物の光学濃度（ＯＤ値）を向上させることが可能であり、さらに、防黴性も付与できる。
【図面の簡単な説明】
【０００８】
【図１】図１は、本発明のインクジェット記録装置の構成の一例を示す概略斜視図である。
【発明を実施するための形態】
【０００９】
本発明のインクジェット記録用水性インク（以下、「水性インク」又は「インク」と言うことがある。）について説明する。本発明の水性インクは、着色剤及び水を含む。
【００１０】
前記着色剤は、特に限定されず、顔料又は染料のいずれであってもよい。
【００１１】
前記顔料は、特に限定されず、例えば、カーボンブラック、無機顔料及び有機顔料等があげられる。前記カーボンブラックとしては、例えば、ファーネスブラック、ランプブラック、アセチレンブラック、チャンネルブラック等があげられる。前記無機顔料としては、例えば、酸化チタン、酸化鉄系無機顔料及びカーボンブラック系無機顔料等をあげることができる。前記有機顔料としては、例えば、アゾレーキ、不溶性アゾ顔料、縮合アゾ顔料、キレートアゾ顔料等のアゾ顔料；フタロシアニン顔料、ペリレン及びペリノン顔料、アントラキノン顔料、キナクリドン顔料、ジオキサジン顔料、チオインジゴ顔料、イソインドリノン顔料、キノフタロン顔料等の多環式顔料；塩基性染料型レーキ顔料、酸性染料型レーキ顔料等の染料レーキ顔料；ニトロ顔料；ニトロソ顔料；アニリンブラック昼光蛍光顔料；等があげられる。また、その他の顔料であっても水相に分散可能なものであれば使用できる。これらの顔料の具体例としては、例えば、Ｃ．Ｉ．ピグメントブラック１、６及び７；Ｃ．Ｉ．ピグメントイエロー１、２、３、１２、１３、１４、１５、１６、１７、５５、７８、１５０、１５１、１５４、１８０、１８５及び１９４；Ｃ．Ｉ．ピグメントオレンジ３１及び４３；Ｃ．Ｉ．ピグメントレッド２、３、５、６、７、１２、１５、１６、４８、４８：１、５３：１、５７、５７：１、１１２、１２２、１２３、１３９、１４４、１４６、１４９、１６６、１６８、１７５、１７６、１７７、１７８、１８４、１８５、１９０、２０２、２２１、２２２、２２４及び２３８；Ｃ．Ｉ．ピグメントバイオレット１９６；Ｃ．Ｉ．ピグメントブルー１、２、３、１５、１５：１、１５：２、１５：３、１５：４、１６、２２及び６０；Ｃ．Ｉ．ピグメントグリーン７及び３６等があげられる。
【００１２】
前記顔料は、自己分散型顔料であってもよい。前記自己分散型顔料は、例えば、顔料粒子にカルボニル基、ヒドロキシル基、カルボン酸基、スルホン酸基、リン酸基等の親水性官能基及びそれらの塩の少なくとも一種が、直接又は他の基を介して化学結合により導入されていることによって、分散剤を使用しなくても水に分散可能なものである。前記自己分散型顔料は、例えば、特開平８−３４９８号公報、特表２０００−５１３３９６号公報、特表２００８−５２４４００号公報、特表２００９−５１５００７号公報、特表２０１１−５１５５３５号公報等に記載の方法によって顔料が処理されたものを用いることができる。前記自己分散型顔料の原料としては、無機顔料及び有機顔料のいずれも使用することができる。また、前記処理を行うのに適した顔料としては、例えば、三菱化学（株）製の「ＭＡ８」及び「ＭＡ１００」等のカーボンブラックがあげられる。前記自己分散型顔料は、例えば、市販品を用いてもよい。前記市販品としては、例えば、キャボット・スペシャルティ・ケミカルズ社製の「ＣＡＢ−Ｏ−ＪＥＴ（登録商標）２００」、「ＣＡＢ−Ｏ−ＪＥＴ（登録商標）２５０Ｃ」、「ＣＡＢ−Ｏ−ＪＥＴ（登録商標）２６０Ｍ」、「ＣＡＢ−Ｏ−ＪＥＴ（登録商標）２７０Ｙ」、「ＣＡＢ−Ｏ−ＪＥＴ（登録商標）３００」、「ＣＡＢ−Ｏ−ＪＥＴ（登録商標）４００」、「ＣＡＢ−Ｏ−ＪＥＴ（登録商標）４５０Ｃ」、「ＣＡＢ−Ｏ−ＪＥＴ（登録商標）４６５Ｍ」及び「ＣＡＢ−Ｏ−ＪＥＴ（登録商標）４７０Ｙ」；オリエント化学工業（株）製の「ＢＯＮＪＥＴ（登録商標）ＢＬＡＣＫ  ＣＷ−２」及び「ＢＯＮＪＥＴ（登録商標）ＢＬＡＣＫ  ＣＷ−３」；東洋インキ製造（株）製の「ＬＩＯＪＥＴ（登録商標）ＷＤ  ＢＬＡＣＫ  ００２Ｃ」；等があげられる。
【００１３】
前記水性インク全量に対する前記顔料の固形分配合量（顔料固形分量）は、特に限定されず、例えば、所望の光学濃度等により、適宜決定できる。前記顔料固形分量は、例えば、０．１重量％〜２０重量％であり、好ましくは、１重量％〜１０重量％であり、より好ましくは、２重量％〜８重量％である。
【００１４】
前記染料は、特に限定されず、例えば、直接染料、酸性染料、塩基性染料、反応性染料等があげられる。前記染料の具体例としては、例えば、Ｃ．Ｉ．ダイレクトブラック、Ｃ．Ｉ．ダイレクトブルー、Ｃ．Ｉ．ダイレクトレッド、Ｃ．Ｉ．ダイレクトイエロー、Ｃ．Ｉ．ダイレクトオレンジ、Ｃ．Ｉ．ダイレクトバイオレット、Ｃ．Ｉ．ダイレクトブラウン、Ｃ．Ｉ．ダイレクトグリーン、Ｃ．Ｉ．アシッドブラック、Ｃ．Ｉ．アシッドブルー、Ｃ．Ｉ．アシッドレッド、Ｃ．Ｉ．アシッドイエロー、Ｃ．Ｉ．アシッドオレンジ、Ｃ．Ｉ．アシッドバイオレット、Ｃ．Ｉ．ベーシックブラック、Ｃ．Ｉ．ベーシックブルー、Ｃ．Ｉ．ベーシックレッド、Ｃ．Ｉ．ベーシックバイオレット及びＣ．Ｉ．フードブラック等があげられる。前記Ｃ．Ｉ．ダイレクトブラックとしては、例えば、Ｃ．Ｉ．ダイレクトブラック１７、１９、３２、５１、７１、１０８、１４６、１５４及び１６８等があげられる。前記Ｃ．Ｉ．ダイレクトブルーとしては、例えば、Ｃ．Ｉ．ダイレクトブルー６、２２、２５、７１、８６、９０、１０６及び１９９等があげられる。前記Ｃ．Ｉ．ダイレクトレッドとしては、例えば、Ｃ．Ｉ．ダイレクトレッド１、４、１７、２８、８３及び２２７等があげられる。前記Ｃ．Ｉ．ダイレクトイエローとしては、例えば、Ｃ．Ｉ．ダイレクトイエロー１２、２４、２６、８６、９８、１３２、１４２及び１７３等があげられる。前記Ｃ．Ｉ．ダイレクトオレンジとしては、例えば、Ｃ．Ｉ．ダイレクトオレンジ３４、３９、４４、４６及び６０等があげられる。前記Ｃ．Ｉ．ダイレクトバイオレットとしては、例えば、Ｃ．Ｉ．ダイレクトバイオレット４７及び４８等があげられる。前記Ｃ．Ｉ．ダイレクトブラウンとしては、例えば、Ｃ．Ｉ．ダイレクトブラウン１０９等があげられる。前記Ｃ．Ｉ．ダイレクトグリーンとしては、例えば、Ｃ．Ｉ．ダイレクトグリーン５９等があげられる。前記Ｃ．Ｉ．アシッドブラックとしては、例えば、Ｃ．Ｉ．アシッドブラック２、７、２４、２６、３１、５２、６３、１１２及び１１８等があげられる。前記Ｃ．Ｉ．アシッドブルーとしては、例えば、Ｃ．Ｉ．アシッドブルー９、２２、４０、５９、９０、９３、１０２、１０４、１１７、１２０、１６７、２２９及び２３４等があげられる。前記Ｃ．Ｉ．アシッドレッドとしては、例えば、Ｃ．Ｉ．アシッドレッド１、６、３２、３７、５１、５２、８０、８５、８７、９２、９４、１１５、１８０、２５６、２８９、３１５及び３１７等があげられる。前記Ｃ．Ｉ．アシッドイエローとしては、例えば、Ｃ．Ｉ．アシッドイエロー１１、１７、２３、２５、２９、４２、６１及び７１等があげられる。前記Ｃ．Ｉ．アシッドオレンジとしては、例えば、Ｃ．Ｉ．アシッドオレンジ７及び１９等があげられる。前記Ｃ．Ｉ．アシッドバイオレットとしては、例えば、Ｃ．Ｉ．アシッドバイオレット４９等があげられる。前記Ｃ．Ｉ．ベーシックブラックとしては、例えば、Ｃ．Ｉ．ベーシックブラック２等があげられる。前記Ｃ．Ｉ．ベーシックブルーとしては、例えば、Ｃ．Ｉ．ベーシックブルー１、３、５、７、９、２４、２５、２６、２８及び２９等があげられる。前記Ｃ．Ｉ．ベーシックレッドとしては、例えば、Ｃ．Ｉ．ベーシックレッド１、２、９、１２、１３、１４及び３７等があげられる。前記Ｃ．Ｉ．ベーシックバイオレットとしては、例えば、Ｃ．Ｉ．ベーシックバイオレット７、１４及び２７等があげられる。前記Ｃ．Ｉ．フードブラックとしては、例えば、Ｃ．Ｉ．フードブラック１及び２等があげられる。
【００１５】
前記水性インク全量に対する前記染料の配合量は、特に限定されず、例えば、０．１重量％〜２０重量％であり、好ましくは、０．３重量％〜１０重量％である。
【００１６】
前記着色剤は、１種類を単独で用いてもよいし、２種類以上を併用してもよい。
【００１７】
前記水は、イオン交換水又は純水であることが好ましい。前記水性インク全量に対する前記水の配合量（水割合）は、所望のインク特性等に応じて適宜決定される。前記水割合は、例えば、他の成分の残部としてもよい。
【００１８】
前述のとおり、本発明の水性インクは、さらに、前記Ａ（式（１）で表される化合物）及びＢ（界面活性剤）を含む。
【００１９】
前記Ａは、式（１ａ）で表される化合物（エチルヘキシルグリセリン）及び式（１ｂ）で表される化合物（カプリル酸グリセリル）の少なくとも一方を含むことが好ましい。
【化２】
0006358561.tif 000003
【化３】
0006358561.tif 000004
【００２０】
前記Ａは、自家調製してもよいし、市販品を用いてもよい。前記市販品としては、例えば、日光ケミカルズ（株）製の「ＮＩＫＫＯＬ（登録商標）  ニコガード（登録商標）  ８８」、Ｌｅｘｇａｒｄ（登録商標）  Ｌａｍｉｎａｔｅｓ社製の「Ｌｅｘｇａｒｄ（登録商標）  Ｅ」、Ｍｉｎａｓｏｌｖｅ社製の「ＭｉｎａＣａｒｅ  Ｈｅｘｃｉｎｅ」等があげられる。
【００２１】
前記水性インク全量に対する前記Ａの配合量（Ａ割合）は、例えば、５重量％以下であり、好ましくは、２重量％以下であり、より好ましくは、０．５重量％以下である。前記Ａ割合を０．５重量％以下とすることで、蒸発特性により優れた水性インクを得ることができる。また、前記Ａ割合の下限値は、特に限定されないが、好ましくは、０．０５重量％以上である。
【００２２】
前述のとおり、本発明の水性インクは、前記Ａを配合することで、着色剤濃度を高めずとも、水性インクによる記録物の光学濃度（ＯＤ値）を向上させることが可能であり、さらに、防黴性も付与できる。前記Ａを配合することで光学濃度（ＯＤ値）が向上するメカニズムは、例えば、つぎのように推定される。すなわち、前記Ａは水に溶解しにくいため、着色剤と共に記録媒体表面に残存しやすく、その結果、光学濃度（ＯＤ値）が向上すると推定される。ただし、前記メカニズムは推定に過ぎず、本発明はこれに限定されない。
【００２３】
前記Ｂは、例えば、前記Ａの水への溶解性を高める働きをする。前記Ｂは、特に限定されず、例えば、花王（株）製のアニオン界面活性剤「ＥＭＡＬ（登録商標）」シリーズ、「ＬＡＴＥＭＵＬ（登録商標）」シリーズ、「ＶＥＮＯＬ（登録商標）」シリーズ、「ＮＥＯＰＥＬＥＸ（登録商標）」シリーズ、ＮＳ  ＳＯＡＰ、ＫＳ  ＳＯＡＰ、ＯＳ  ＳＯＡＰ及び「ＰＥＬＥＸ（登録商標）」シリーズ；ライオン（株）製のアニオン界面活性剤「ＬＩＰＯＬＡＮ（登録商標）」シリーズ、「ＬＩＰＯＮ（登録商標）」シリーズ、「ＳＵＮＮＯＬ（登録商標）」シリーズ、「ＬＩＰＯＴＡＣ（登録商標）  ＴＥ，ＥＮＡＧＩＣＯＬ」シリーズ、「ＬＩＰＡＬ（登録商標）」シリーズ及び「ＬＯＴＡＴ（登録商標）」シリーズ等；花王（株）製のノニオン界面活性剤「ＥＭＵＬＧＥＮ（登録商標）」シリーズ、「ＲＨＥＯＤＯＬ（登録商標）」シリーズ、「ＥＭＡＳＯＬ（登録商標）」シリーズ、「ＥＸＣＥＬ（登録商標）」シリーズ、「ＥＭＡＮＯＮ（登録商標）」シリーズ、「ＡＭＩＥＴ（登録商標）」シリーズ及び「ＡＭＩＮＯＮ（登録商標）」シリーズ等；東邦化学工業（株）製のノニオン界面活性剤「ソルボン（登録商標）」シリーズ；ライオン（株）製のノニオン界面活性剤「ＤＯＢＡＮＯＸ（登録商標）」シリーズ、「ＬＥＯＣＯＬ（登録商標）」シリーズ、「ＬＥＯＸ（登録商標）」シリーズ、「ＬＡＯＬ，ＬＥＯＣＯＮ（登録商標）」シリーズ、「ＬＩＯＮＯＬ（登録商標）」シリーズ、「ＣＡＤＥＮＡＸ（登録商標）」シリーズ、「ＬＩＯＮＯＮ（登録商標）」シリーズ及び「ＬＥＯＦＡＴ（登録商標）」シリーズ等；第一工業製薬（株）製のカチオン界面活性剤「カチオーゲン（登録商標）ＥＳ−ＯＷ」及び「カチオーゲン（登録商標）ＥＳ−Ｌ」等があげられる。これらの中でも、アニオン界面活性剤が好ましい。
【００２４】
前記Ｂは、１種類を単独で用いても、２種類以上を併用してもよい。前記水性インク全量に対する前記Ｂの配合量は、例えば、０．１重量％〜１０重量％であり、好ましくは、０．１重量％〜８重量％であり、より好ましくは、０．１重量％〜５重量％である。
【００２５】
前記Ａと前記Ｂとの重量比は、例えば、Ａ：Ｂ＝１：２〜１：２０であり、好ましくは、１：５〜１：２０である。Ａ：Ｂ＝１：５〜１：２０とすることで、吐出性により優れた水性インクを得ることができる。
【００２６】
前記水性インクは、さらに、水溶性有機溶剤を含むことが好ましい。前記水溶性有機溶剤としては、例えば、インクジェットヘッドのノズル先端部における水性インクの乾燥を防止する湿潤剤及び記録媒体上での乾燥速度を調整する浸透剤があげられる。
【００２７】
前記湿潤剤は、特に限定されず、例えば、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール等の低級アルコール；ジメチルホルムアミド、ジメチルアセトアミド等のアミド；アセトン等のケトン；ジアセトンアルコール等のケトアルコール；テトラヒドロフラン、ジオキサン等のエーテル；ポリアルキレングリコール等のポリエーテル；アルキレングリコール、グリセリン、トリメチロールプロパン、トリメチロールエタン等の多価アルコール；２−ピロリドン；Ｎ−メチル−２−ピロリドン；１，３−ジメチル−２−イミダゾリジノン等があげられる。前記ポリアルキレングリコールは、例えば、ポリエチレングリコール、ポリプロピレングリコール等があげられる。前記アルキレングリコールは、例えば、エチレングリコール、プロピレングリコール、ブチレングリコール、ジエチレングリコール、トリエチレングリコール、ジプロピレングリコール、トリプロピレングリコール、チオジグリコール、ヘキシレングリコール等があげられる。これらの湿潤剤は、１種類を単独で用いてもよいし、２種類以上を併用してもよい。これらの中で、アルキレングリコール、グリセリン等の多価アルコールが好ましい。
【００２８】
前記水性インク全量に対する前記湿潤剤の配合量は、例えば、０重量％〜９５重量％であり、好ましくは、５重量％〜８０重量％であり、より好ましくは、５重量％〜５０重量％である。
【００２９】
前記浸透剤は、例えば、グリコールエーテルがあげられる。前記グリコールエーテルは、例えば、エチレングリコールメチルエーテル、エチレングリコールエチルエーテル、エチレングリコール−ｎ−プロピルエーテル、ジエチレングリコールメチルエーテル、ジエチレングリコールエチルエーテル、ジエチレングリコール−ｎ−プロピルエーテル、ジエチレングリコール−ｎ−ブチルエーテル、ジエチレングリコール−ｎ−ヘキシルエーテル、トリエチレングリコールメチルエーテル、トリエチレングリコールエチルエーテル、トリエチレングリコール−ｎ−プロピルエーテル、トリエチレングリコール−ｎ−ブチルエーテル、プロピレングリコールメチルエーテル、プロピレングリコールエチルエーテル、プロピレングリコール−ｎ−プロピルエーテル、プロピレングリコール−ｎ−ブチルエーテル、ジプロピレングリコールメチルエーテル、ジプロピレングリコールエチルエーテル、ジプロピレングリコール−ｎ−プロピルエーテル、ジプロピレングリコール−ｎ−ブチルエーテル、トリプロピレングリコールメチルエーテル、トリプロピレングリコールエチルエーテル、トリプロピレングリコール−ｎ−プロピルエーテル及びトリプロピレングリコール−ｎ−ブチルエーテル等があげられる。前記浸透剤は、１種類を単独で用いてもよいし、２種類以上を併用してもよい。
【００３０】
前記水性インク全量に対する前記浸透剤の配合量は、例えば、０重量％〜２０重量％であり、好ましくは、０重量％〜１５重量％であり、より好ましくは、１重量％〜４重量％である。
【００３１】
前記水性インクは、必要に応じて、さらに、従来公知の添加剤を含んでもよい。前記添加剤としては、例えば、ｐＨ調整剤、粘度調整剤、表面張力調整剤、防黴剤等があげられる。前記粘度調整剤は、例えば、ポリビニルアルコール、セルロース、水溶性樹脂等があげられる。
【００３２】
つぎに、本発明のインクカートリッジは、インクジェット記録用水性インクを含むインクカートリッジであって、前記水性インクが、本発明のインクジェット記録用水性インクであることを特徴とする。前記インクカートリッジの本体としては、例えば、従来公知のものを使用できる。
【００３３】
つぎに、本発明のインクジェット記録装置及びインクジェット記録方法について説明する。
【００３４】
本発明のインクジェット記録装置は、インク収容部及びインク吐出手段を含み、前記インク収容部に収容されたインクを前記インク吐出手段によって吐出するインクジェット記録装置であって、前記インク収容部に、本発明のインクジェット記録用水性インクが収容されていることを特徴とする。
【００３５】
本発明のインクジェット記録方法は、記録媒体に水性インクをインクジェット方式により吐出して記録するインクジェット記録方法であって、前記水性インクとして、本発明のインクジェット記録用水性インクを用いることを特徴とする。
【００３６】
本発明のインクジェット記録方法は、例えば、本発明のインクジェット記録装置を用いて実施可能である。前記記録は、印字、印画、印刷等を含む。
【００３７】
図１に、本発明のインクジェット記録装置の一例の構成を示す。図示のとおり、このインクジェット記録装置１は、４つのインクカートリッジ２と、インク吐出手段（インクジェットヘッド）３と、ヘッドユニット４と、キャリッジ５と、駆動ユニット６と、プラテンローラ７と、パージ装置８とを主要な構成要素として含む。
【００３８】
４つのインクカートリッジ２は、イエロー、マゼンタ、シアン及びブラックの４色の水性インクを、それぞれ１色ずつ含む。前記４色の水性インクのうちの少なくとも一つが、本発明のインクジェット記録用水性インクである。ヘッドユニット４に設置されたインクジェットヘッド３は、記録媒体（例えば、記録用紙）Ｐに記録を行う。キャリッジ５には、４つのインクカートリッジ２及びヘッドユニット４が搭載される。駆動ユニット６は、キャリッジ５を直線方向に往復移動させる。駆動ユニット６としては、例えば、従来公知のものを使用できる（例えば、特開２００８−２４６８２１号公報参照）。プラテンローラ７は、キャリッジ５の往復方向に延び、インクジェットヘッド３と対向して配置されている。
【００３９】
パージ装置８は、インクジェットヘッド３の内部に溜まる気泡等を含んだ不良インクを吸引する。パージ装置８としては、例えば、従来公知のものを使用できる（例えば、特開２００８−２４６８２１号公報参照）。
【００４０】
パージ装置８のプラテンローラ７側には、パージ装置８に隣接してワイパ部材２０が配設されている。ワイパ部材２０は、へら状に形成されており、キャリッジ５の移動に伴って、インクジェットヘッド３のノズル形成面を拭うものである。図１において、キャップ１８は、水性インクの乾燥を防止するため、記録が終了するとリセット位置に戻されるインクジェットヘッド３の複数のノズルを覆うものである。
【００４１】
本例のインクジェット記録装置１においては、４つのインクカートリッジ２は、ヘッドユニット４と共に、１つのキャリッジ５に搭載されている。ただし、本発明は、これに限定されない。インクジェット記録装置１において、４つのインクカートリッジ２の各カートリッジは、ヘッドユニット４とは別のキャリッジに搭載されていてもよい。また、４つのインクカートリッジ２の各カートリッジは、キャリッジ５には搭載されず、インクジェット記録装置１内に配置、固定されていてもよい。これらの態様においては、例えば、４つのインクカートリッジ２の各カートリッジと、キャリッジ５に搭載されたヘッドユニット４とが、チューブ等により連結され、４つのインクカートリッジ２の各カートリッジからヘッドユニット４に前記水性インクが供給される。
【００４２】
このインクジェット記録装置１を用いたインクジェット記録は、例えば、つぎのようにして実施される。まず、記録用紙Ｐが、インクジェット記録装置１の側方又は下方に設けられた給紙カセット（図示せず）から給紙される。記録用紙Ｐは、インクジェットヘッド３と、プラテンローラ７との間に導入される。導入された記録用紙Ｐに、インクジェットヘッド３から吐出される水性インクにより所定の記録がされる。記録後の記録用紙Ｐは、インクジェット記録装置１から排紙される。本発明の水性インクで記録された記録物は、光学濃度（ＯＤ値）が高い。図１においては、記録用紙Ｐの給紙機構及び排紙機構の図示を省略している。
【００４３】
図１に示す装置では、シリアル型インクジェットヘッドを採用するが、本発明は、これに限定されない。前記インクジェット記録装置は、ライン型インクジェットヘッドを採用する装置であってもよい。
【実施例】
【００４４】
つぎに、本発明の実施例について比較例と併せて説明する。なお、本発明は、下記の実施例及び比較例により限定及び制限されない。
【００４５】
［実施例１−１〜１−７及び比較例１−１〜１−４］  水性インク組成（表１）における、顔料を除く成分を、均一に混合しインク溶媒を得た。つぎに、水に分散させた顔料に前記インク溶媒を加え、均一に混合した。その後、得られた混合物を、東洋濾紙（株）製のセルロースアセテートタイプメンブレンフィルタ（孔径３．００μｍ）でろ過することで、実施例１−１〜１−７及び比較例１−１〜１−４のインクジェット記録用水性インクを得た。
【００４６】
実施例１−１〜１−７及び比較例１−１〜１−４の水性インクについて、（ａ）光学濃度（ＯＤ値）評価、（ｂ）吐出性評価、（ｃ）前記Ａ（式（１）で表される化合物）の溶解性評価及び（ｄ）蒸発特性評価を、下記方法により実施した。
【００４７】
（ａ）光学濃度（ＯＤ値）評価  ブラザー工業（株）製のインクジェットプリンタＭＦＣ−Ｊ４５１０Ｎを使用して、実施例１−１〜１−７及び比較例１−１〜１−４の水性インクを用いて普通紙上に解像度６００ｄｐｉ×３００ｄｐｉ、Ｄｕｔｙ１００％、液滴量３５ｐＬの条件で黒単色パッチを含む画像を記録し評価サンプルを作製した。前記評価サンプル中の３箇所の光学濃度（ＯＤ値）を、Ｘ−Ｒｉｔｅ社製の分光測色計ＳｐｅｃｔｒｏＥｙｅ（光源：Ｄ５０、視野角：２°、ＡＮＳＩ−Ｔ）により測定し、平均値を求めた。前記普通紙には、ＸＥＲＯＸ社製の「ＸＥＲＯＸ４２００」を用いた。
【００４８】
（ｂ）吐出性評価  前記インクジェットプリンタＭＦＣ−Ｊ４５１０Ｎを使用して、実施例１−１〜１−７及び比較例１−１〜１−４の水性インクを用いてインクカートリッジ交換後にパージ（前記インクジェットプリンタＭＦＣ−Ｊ４５１０Ｎ本体のポンプによる水性インクの吸引）を３回行った直後に、記録試験を行い、全ノズル数に対する吐出ノズルの割合を求め、下記評価基準に従って評価した。
【００４９】
吐出性評価  評価基準
Ａ：全ノズル数に対する吐出ノズルの割合が１００％であった（全ノズルが吐出可能であった）
Ｂ：全ノズル数に対する吐出ノズルの割合が９０％以上１００％未満であった
Ｃ：全ノズル数に対する吐出ノズルの割合が９０％未満であった
【００５０】
（ｃ）前記Ａ（式（１）で表される化合物）の溶解性評価  水性インク組成（表１）における、顔料を除く成分を、均一に混合した前記インク溶媒を目視にて観察し、下記評価基準に従って評価した。
【００５１】
前記Ａ（式（１）で表される化合物）の溶解性評価  評価基準
Ａ：溶け残り無く、均一な溶媒となっていた
溶解せず：油浮き、沈殿が観察された
【００５２】
（ｄ）蒸発特性評価  実施例１−１〜１−７及び比較例１−１〜１−４の水性インク５ｇを、開放瓶（口径：２０．２ｍｍ）に注入した。ついで、前記開放瓶を、温度６０℃、相対湿度４０％の恒温槽中に一晩保存した。前記保存後、前記開放瓶内の水性インクの状態を目視で観察し、下記評価基準に従って蒸発特性を評価した。
【００５３】
蒸発特性評価  評価基準
Ａ：前記保存前の水性インクと同程度の流動性があった
Ｂ：前記保存前の水性インクに比べ、やや粘性が上がっていた
【００５４】
実施例１−１〜１−７及び比較例１−１〜１−４の水性インクの水性インク組成及び評価結果を、表１に示す。
【００５５】
【表１】
0006358561.tif 000005
【００５６】
表１に示すとおり、実施例１−１〜１−７では、光学濃度（ＯＤ値）が、水性インクに前記Ａを配合しなかった比較例１−１，１−２及び１−４よりも向上しており、吐出性、溶解性、蒸発特性にも優れていた。また、前記Ａを配合した実施例１−１〜１−７では、防黴性にも優れていた。なお、水性インクに界面活性剤を配合しなかった比較例１−３では、前記Ａが溶解せず、水性インクを調製できなかった。また、前記Ａと前記Ｂの重量比を１：５〜１：２０とした実施例１−１〜１−５及び１−７では、吐出性が特に優れていた。そして、前記水性インク全量に対する前記Ａの配合量を０．５重量％以下とした実施例１−１〜１−６では、蒸発特性が特に優れていた。
【００５７】
［実施例２−１及び比較例２−１］  インク組成（表２）における、顔料を除く成分を、均一に混合しインク溶媒を得た。つぎに、水に分散させた顔料に前記インク溶媒を加え、均一に混合した。その後、得られた混合物を、東洋濾紙（株）製のセルロースアセテートタイプメンブレンフィルタ（孔径３．００μｍ）でろ過することで、実施例２−１及び比較例２−１のインクジェット記録用水性インクを得た。
【００５８】
実施例２−１及び比較例２−１の水性インクについて、（ａ）光学濃度（ＯＤ値）評価において、シアン単色パッチを含む画像を記録し評価サンプルを作製したこと以外は、実施例１−１〜１−７及び比較例１−１〜１−４と同様にして、（ａ）光学濃度（ＯＤ値）評価、（ｂ）吐出性評価、（ｃ）前記Ａ（式（１）で表される化合物）の溶解性評価及び（ｄ）蒸発特性評価を実施した。
【００５９】
実施例２−１及び比較例２−１の水性インクのインク組成及び評価結果を、表２に示す。
【００６０】
【表２】
0006358561.tif 000006
【００６１】
表２に示すとおり、実施例２−１では、光学濃度（ＯＤ値）が、水性インクに前記Ａを配合しなかった比較例２−１よりも向上しており、吐出性、溶解性、蒸発特性にも優れていた。また、前記Ａを配合した実施例２−１では、防黴性にも優れていた。
【産業上の利用可能性】
【００６２】
以上のように、本発明の水性インクは、着色剤濃度を高めずとも、水性インクによる記録物の光学濃度（ＯＤ値）を向上させることが可能であり、さらに、防黴性も付与されたものである。本発明の水性インクの用途は、特に限定されず、各種のインクジェット記録に広く適用可能である
【符号の説明】
【００６３】
１          インクジェット記録装置
２          インクカートリッジ
３          インク吐出手段（インクジェットヘッド）
４          ヘッドユニット
５          キャリッジ
６          駆動ユニット
７          プラテンローラ
８          パージ装置
【図１】
0006358561.tif 000010